(57)【要約】ディスプレイ用の装着システムは、ディスプレイおよび表示ウインドウを相隔てて支持する支持構造と、ディスプレイとウインドウの間の空間を密閉し、支持構造にウインドウを保持するように構成された柔軟な取付け部を有する。ディスプレイシステムは、上記装着システムを含む。柔軟な取付け部は、ウインドウに取付けられるように構成された両面接着テープである第１の環状リングと、保持器およびディスプレイの双方に取付けられるように構成された両面接着テープである第２の環状リングと、第１および第２の環状リングの間に接着される非接着物質である接合部とを含む。表示システムの組立て方法では、支持筐体にディスプレイが配置され、ダストシーリングテープがディスプレイに押圧され、ディスプレイ上に配置された保護ウインドウがダストシーリングテープに対して押圧される。【選択図】図１
2010537240.tif 000002
【特許請求の範囲】
【請求項１】
ディスプレイおよび前記ディスプレイと相隔てられた表示ウインドウを支持するように構成された支持構造と、
前記表示ウインドウと前記ディスプレイの間の空間を密閉し、前記表示ウインドウを前記支持構造に保持するように構成された柔軟な取付け部と
を備える、ディスプレイ用の装着システム。
【請求項２】
前記支持構造は、ディスプレイを配置可能な凹部を有し、
前記柔軟な取付け部は、前記支持構造に対して配置され、接着により前記支持構造に取付けられ、かつ、前記凹部内のディスプレイに取付け可能な一面と、表示ウインドウへの取付けのために露出した他面からなる２つの面を有する、請求項１に記載の装着システム。
【請求項３】
前記支持構造は、前記凹部の少なくとも一部の周囲に、表示ウインドウを配置可能な段凹部を有し、前記段凹部は、一面を有し、前記支持構造の前記一面は、前記段凹部の一面に接着される、請求項２に記載の装着システム。
【請求項４】
前記柔軟な取付け部は、異なる厚さ寸法のディスプレイを収容するために、前記支持構造に取付けられる部分と前記凹部内のディスプレイに取付け可能な部分の間で前記柔軟な取付け部の構造を維持する屈曲部を提供する柔軟部を有することで、前記段凹部と前記支持構造により支持されたディスプレイの間の相対的な高さの差を許容する、請求項２または３に記載の装着システム。
【請求項５】
前記柔軟な取付け部は、前記支持構造への接着取付けおよび表示ウインドウへの取付け可能性を各々に提供する接着物質を両面に有する放射方向外側部分を有する環状リングを有し、前記環状リングは、ディスプレイに取付け可能な接着物質を一面に有し、表示ウインドウに対して露出するが取付け可能ではない実質的に非接着性の一面を有する放射方向内側部分を有する、請求項１〜４のいずれか１項に記載の装着システム。
【請求項６】
前記環状リングは、表示ウインドウに取付けられるように構成された両面接着テープである第１の環状リングと、前記支持構造とディスプレイの双方に取付けられるように構成された両面接着テープである第２の環状リングと、両面接着テープである双方の環状リングの間に接着された非接着物質である接合部とを有する、請求項５に記載の装着システム。
【請求項７】
前記支持構造は、筐体および前記筐体内のディスプレイを有し、前記支持構造は、表示ウインドウ支持面および表示ウインドウを有し、前記柔軟な取付け部は、前記表示ウインドウ支持面と前記表示ウインドウの間に接合部を提供するように構成された一部分を有し、前記一部分は、前記表示ウインドウ支持面および前記表示ウインドウの双方に接着により取付けられ、前記柔軟な取付け部は、前記ディスプレイに接着により取付けられ、前記表示ウインドウに面し、前記表示ウインドウに取付けられない非接着面を有し、前記柔軟な取付け部は、柔軟性を有し、前記表示ウインドウと前記ディスプレイの分離を可能にするとともに、前記表示ウインドウと前記ディスプレイの間に実質的に隔離された空間を維持して前記空間へのダストの侵入を防止する、請求項１〜６のいずれか１項に記載の装着システム。
【請求項８】
前記筐体は、移動電話の筐体であり、前記ディスプレイは、移動電話のディスプレイである、請求項７に記載の装着システム。
【請求項９】
筐体と、
前記筐体内のディスプレイと、
前記ディスプレイと相隔てられ、前記ディスプレイを視認するために位置合せされた保護表示ウインドウと、
前記保護表示ウインドウを前記筐体に取付け、前記保護表示ウインドウと前記ディスプレイの間の空間へのダストを遮断するように構成された、前記保護表示ウインドウと前記ディスプレイの間のダストシールと
を備える表示システム。
【請求項１０】
前記ダストシールは、前記筐体、前記保護表示ウインドウおよび前記ディスプレイに取付けられ、前記筐体、前記保護表示ウインドウおよび前記ディスプレイと協働して、前記保護表示ウインドウと前記ディスプレイの間の前記空間へのダストへの侵入を防止するように構成された、請求項９に記載の表示システム。
【請求項１１】
前記ディスプレイは、液晶ディスプレイである、請求項９または１０に記載の表示システム。
【請求項１２】
携帯通信装置である、請求項９〜１１のいずれか１項に記載の表示システム。
【請求項１３】
前記携帯通信装置は、移動電話である、請求項１２に記載の表示システム。
【請求項１４】
前記ダストシールは、前記保護表示ウインドウに取付けられるように構成された両面接着テープである第１の環状リングと、保持器と前記ディスプレイの双方に取付けられるように構成された両面接着テープである第２の環状リングと、両面接着テープである双方の環状リングの間に接着された非接着物質である接合部とを有する、請求項９〜１３のいずれか１項に記載の表示システム。
【請求項１５】
前記筐体は、凹部を有し、前記ディスプレイは、少なくとも部分的に前記凹部内に配置され、前記筐体は、前記ディスプレイの一面に対して概ね平行で相隔てられ、実質的に前記凹部を囲み、前記筐体に対する支持を前記保護表示ウインドウに提供するように構成された支持面を有し、前記ダストシールは、前記支持面と前記保護表示ウインドウの接合部をなし、前記保護表示ウインドウを前記支持面に取付け、前記ディスプレイに取付けられた前記ダストシールは、前記保護表示ウインドウおよび前記ディスプレイと協働して、前記保護表示ウインドウと前記ディスプレイの間にダスト防止密閉空間を形成する、請求項９〜１４のいずれか１項に記載の表示システム。
【請求項１６】
前記ダストシールは、柔軟性を有し、前記保護表示ウインドウと前記ディスプレイの間の変動範囲に応じて、前記空間の密閉された構造を維持する、請求項９〜１５のいずれか１項に記載の表示システム。
【請求項１７】
保持器内に保持されて表示ウインドウにより保護されるディスプレイのためのダストシールであって、
表示ウインドウに取付けられるように構成された両面接着テープである第１の環状リングと、
保持器とディスプレイの双方に取付けられるように構成された両面接着テープである第２の環状リングと、
両面接着テープである双方の環状リングの間に接着された非接着物質である接合部と
を備えるダストシール。
【請求項１８】
前記第１および第２の環状リングおよび前記接合部は、概ね平坦であり、前記第１の環状リングの放射方向幅は、前記第２の環状リングの放射方向幅よりも狭く、前記第１および第２の環状リングおよび前記接合部は、前記接合部の放射方向外側部分が前記第１の環状リングおよび前記第２の環状リングにより各々に提供される接着物質を両面に有し、前記接合部の放射方向内側部分が前記第２の環状リングにより提供される接着物質を一面に有する、請求項１７に記載のダストシール。
【請求項１９】
前記接合部は、薄片状物質である、請求項１７または１８に記載のダストシール。
【請求項２０】
両面接着テープである第１の環状リング、両面接着テープである第２の環状リング、および前記双方の環状リングの接着物質により前記双方の環状リングの間に接着される中間物質を有するシーリングテープを用いた表示システムの組立方法であって、
ディスプレイの面と前記ディスプレイが装着される保持器の面に対して、両面接着テープである一の環状リングを配置するステップと、
前記ディスプレイに対して少なくとも部分的に重ねて相隔てて、両面接着テープである他の環状リングに対して表示ウインドウを配置することで、前記表示ウインドウを前記シーリングテープに直接装着し、前記保持器に前記表示ウインドウを保持するステップと
を含む表示システムの組立方法。
【請求項２１】
ダストシーリングテープを用いた表示システムの組立方法であって、
比較的広い幅を有する接着物質である第１の環状リングを、ディスプレイの面、および前記ディスプレイが装着される保持器の面に対して配置するステップと、
前記ディスプレイに対して少なくとも部分的に重ねて相隔てて、接着物質である第１の環状リングよりも比較的狭い幅を有する接着物質である第２の環状リングに対して表示ウインドウを配置するステップと
を含み、
前記接着物質である２つの環状リングは、互いに接着され、前記表示ウインドウは、前記２つの環状リングにより前記保持器に装着される、表示システムの組立方法。
【請求項２２】
前記２つの配置するステップは、前記第１および第２の環状リングを前記保持器内のディスプレイおよび前記表示ウインドウに各々に接着するために力を加え、前記ディスプレイと前記表示ウインドウの間にダスト侵入防止密閉空間を形成するステップを含む、請求項２１に記載の組立方法。
【請求項２３】
前記保持器は、携帯通信装置の筐体であり、前記筐体にディスプレイを配置するステップをさらに含む、請求項２１または２２に記載の組立方法。
【発明の詳細な説明】
【技術分野】
【０００１】
本願は、２００７年８月２０日に出願された米国仮特許出願６０／９５６８３９と、２００７年１０月２６日に出願された米国特許出願１１／９２４８４９の優先権を主張するものであり、両出願の全ての開示内容を参照により組入れるものである。
【０００２】
本発明は、ダストシーリングテープ、ダストシーリングテープを用いたディスプレイ、および密閉方法に係り、より詳しくは、例えば携帯通信装置の支持器または保持器内に装着される液晶ディスプレイ（ＬＣＤ）等のディスプレイに関連して用いられるダストシーリングテープおよび密閉方法に関する。
【背景技術】
【０００３】
例えば携帯通信装置の筐体または容器内の支持構造または保持構造内にディスプレイを装着するために、様々な技術が用いられている。しばしば、表示面がウインドウを通じて視認可能となるように、ディスプレイの表示面を保護するように相隔てられてウインドウが配置される。例えばポリウレタンフォーム（しばしばＰＵフォームと称される。）または他の発泡体物質からなる発泡体ガスケットがウインドウとディスプレイの間に配置され、空間からダストを遮断する。例えば、ダストは、表示面の視認性を妨げる場合がある。
【発明の概要】
【発明が解決しようとする課題】
【０００４】
発泡体ガスケットの利用に伴う問題は、ガスケットが内側、つまり表示側からウインドウに力を加え、ディスプレイおよび支持構造からウインドウを押しのけ易くなることである。ウインドウまたはウインドウが装着された装置が熱および／または湿気に晒されると、押す力は、ウインドウを装置から落としてしまう場合がある。発泡体ガスケットに伴う他の問題は、ガスケットが比較的厚く、例えば、ウインドウおよびディスプレイが用いられる比較的薄い携帯通信装置等、薄い装置に要求される比較的薄い“積重ね（ｓｔａｃｋｕｐｓ）”の状態では、有効機能範囲（許容誤差）がウインドウと比較的薄い装置内のディスプレイの間の許容誤差よりも小さくなる場合があることである。このような状況では、発泡体ガスケットは、所望のダスト密閉性を提供するように適当に機能しなくなる場合がある。
【課題を解決するための手段】
【０００５】
本発明のある観点によれば、ディスプレイおよびディスプレイと相隔てられた表示ウインドウを支持するように構成された支持構造と、表示ウインドウとディスプレイの間の空間を密閉し、表示ウインドウを支持構造に保持するように構成された柔軟な取付け部（ｆｌｅｘｉｂｌｅ  ａｔｔａｃｈｍｅｎｔ）とを備える、ディスプレイ用の装着システムが提供される。
【０００６】
上記装着システムにおいて、支持構造は、ディスプレイを配置可能な凹部を有し、柔軟な取付け部は、支持構造に対して配置され、接着により支持構造に取付けられ、かつ、凹部内のディスプレイに取付け可能な一面と、表示ウインドウへの取付けのために露出した他面からなる２つの面を有してもよい。
【０００７】
上記装着システムにおいて、支持構造は、凹部の少なくとも一部の周囲に、表示ウインドウを配置可能な段凹部（ｓｔｅｐ  ｒｅｃｅｓｓ）を有し、段凹部は、一面を有し、柔軟な取付け部の一面は、段凹部の一面に接着されてもよい。
【０００８】
上記装着システムにおいて、柔軟な取付け部は、異なる厚さ寸法のディスプレイを収容するために、支持構造に取付けられる部分と凹部内のディスプレイに取付け可能な部分の間で柔軟な取付け部の構造（ｉｎｔｅｇｒｉｔｙ）を維持する屈曲部を提供する柔軟部を有することで、段凹部と支持構造により支持されたディスプレイの間の相対的な高さの差を許容してもよい。
【０００９】
上記装着システムにおいて、柔軟な取付け部は、支持構造への接着取付けおよび表示ウインドウへの取付け可能性を各々に提供する接着物質を両面に有する放射方向（ｒａｄｉａｌｌｙ）外側部分を有する環状（ａｎｎｕｌａｒ）リングを有し、環状リングは、ディスプレイに取付け可能な接着物質を一面に有し、表示ウインドウに対して露出するが取付け可能ではない実質的に非接着性の一面を有する放射方向内側部分を有してもよい。
【００１０】
上記装着システムにおいて、環状リングは、表示ウインドウに取付けられるように構成された両面接着テープである第１の環状リングと、支持構造とディスプレイの双方に取付けられるように構成された両面接着テープである第２の環状リングと、両面接着テープである双方の環状リングの間に接着された非接着物質である接合部とを有してもよい。
【００１１】
上記装着システムにおいて、非接着物質である接合部は、薄片状物質であってもよい。
【００１２】
上記装着システムにおいて、筐体は、移動電話の筐体であり、ディスプレイは、移動電話のディスプレイであってもよい。
【００１３】
上記装着システムにおいて、支持構造は、筐体および筐体内のディスプレイを有し、支持構造は、表示ウインドウ支持面および表示ウインドウを有し、柔軟な取付け部は、表示ウインドウ支持面と表示ウインドウの間に接合部を提供するように構成された一部分を有し、一部分は、表示ウインドウ支持面および表示ウインドウの双方に接着により取付けられ、柔軟な取付け部は、ディスプレイに接着により取付けられ、表示ウインドウに面し、表示ウインドウに取付けられない非接着面を有し、柔軟な取付け部は、柔軟性を有し、表示ウインドウとディスプレイの分離（ｓｅｐａｒａｔｉｏｎ）を可能にするとともに、表示ウインドウとディスプレイの間に実質的に隔離された（ｉｓｏｌａｔｅｄ）空間を維持して空間へのダストの侵入を防止してもよい。
【００１４】
本発明の他の観点によれば、筐体と、筐体内のディスプレイと、ディスプレイと相隔てられ、ディスプレイを視認するために位置合せされた保護表示ウインドウと、保護表示ウインドウを筐体に取付け、保護表示ウインドウとディスプレイの間の空間へのダストを遮断するように構成された、保護表示ウインドウとディスプレイの間のダストシールとを備える表示システムが提供される。
【００１５】
上記表示システムにおいて、ダストシールは、筐体、保護表示ウインドウおよびディスプレイに取付けられ、筐体、保護表示ウインドウおよびディスプレイと協働して、保護表示ウインドウとディスプレイの間の空間へのダストへの侵入を防止するように構成されてもよい。
【００１６】
上記表示システムにおいて、ディスプレイは、液晶ディスプレイであってもよい。
【００１７】
上記表示システムは、携帯通信装置であってもよい。
【００１８】
上記表示システムにおいて、携帯通信装置は、移動電話であってもよい。
【００１９】
上記表示システムにおいて、ダストシールは、保護表示ウインドウに取付けられるように構成された両面接着テープである第１の環状リングと、保持器（ｒｅｔａｉｎｅｒ）とディスプレイの双方に取付けられるように構成された両面接着テープである第２の環状リングと、両面接着テープである双方の環状リングの間に接着された非接着物質である接合部とを有してもよい。
【００２０】
上記表示システムにおいて、筐体は、凹部を有し、ディスプレイは、少なくとも部分的に凹部内に配置され、筐体は、ディスプレイの一面に対して概ね平行で相隔てられ、実質的に凹部を囲み、筐体に対する支持を保護表示ウインドウに提供するように構成された支持面を有し、ダストシールは、支持面と保護表示ウインドウの接合部をなし、保護表示ウインドウを支持面に取付け、ディスプレイに取付けられたダストシールは、保護表示ウインドウおよびディスプレイと協働して、保護表示ウインドウとディスプレイの間にダスト防止密閉空間（ｄｕｓｔ  ｓｅａｌｅｄ  ｓｐａｃｅ）を形成してもよい。
【００２１】
上記表示システムにおいて、ダストシールは、柔軟性を有し、保護表示ウインドウとディスプレイの間の変動範囲に応じて、空間の密閉された構造（ｉｎｔｅｇｒｉｔｙ）を維持してもよい。
【００２２】
本発明の他の観点によれば、保持器内に保持されて表示ウインドウにより保護されるディスプレイのためのダストシールであって、表示ウインドウに取付けられるように構成された両面接着テープである第１の環状リングと、保持器とディスプレイの双方に取付けられるように構成された両面接着テープである第２の環状リングと、両面接着テープである双方の環状リングの間に接着された非接着物質である接合部とを備えるダストシールが提供される。
【００２３】
上記ダストシールにおいて、第１および第２の環状リングおよび接合部は、概ね平坦であり、第１の環状リングの放射方向幅（ｒａｄｉａｌ  ｗｉｄｔｈ）は、第２の環状リングの放射方向幅よりも狭く、第１および第２の環状リングおよび接合部は、接合部の放射方向外側部分が第１の環状リングおよび第２の環状リングにより各々に提供される接着物質を両面に有し、接合部の放射方向内側部分が第２の環状リングにより提供される接着物質を一面に有してもよい。
【００２４】
上記ダストシールにおいて、接合部は、薄片状物質（ｆｏｉｌ  ｍａｔｅｒｉａｌ）であってもよい。
【００２５】
上記ディスプレイのシーリングテープにおいて、両面接着テープである第１の環状リングと、両面接着テープである第２の環状リングと、双方の環状リングの接着物質により双方の環状リングの間に接着された接合部とを有してもよい。
【００２６】
本発明の他の観点によれば、両面接着テープである第１の環状リング、両面接着テープである第２の環状リング、および双方の環状リングの接着物質により双方の環状リングの間に接着される中間物質を有するシーリングテープを用いた表示システムの組立方法であって、ディスプレイの面とディスプレイが装着される保持器の面に対して、両面接着テープである一の環状リングを配置するステップと、ディスプレイに対して少なくとも部分的に重ねて相隔てて、両面接着テープである他の環状リングに対して表示ウインドウを配置することで、表示ウインドウをシーリングテープに直接装着し、保持器に表示ウインドウを保持するステップとを含む表示システムの組立方法が提供される。
【００２７】
本発明の他の観点によれば、ダストシーリングテープを用いた表示システムの組立方法であって、比較的広い幅を有する接着物質である第１の環状リングを、ディスプレイの面、およびディスプレイが装着される保持器の面に対して配置するステップと、ディスプレイに対して少なくとも部分的に重ねて相隔てて、接着物質である第１の環状リングよりも比較的狭い幅を有する接着物質である第２の環状リングに対して表示ウインドウを配置するステップとを含み、接着物質である２つの環状リングは、互いに接着され、表示ウインドウは、２つの環状リングにより保持器に装着される、表示システムの組立方法が提供される。
【００２８】
上記組立方法において、２つの配置するステップは、第１および第２の環状リングを保持器内のディスプレイおよび表示ウインドウに各々に接着するために力を加え、ディスプレイと表示ウインドウの間にダスト侵入防止密閉空間を形成するステップを含んでもよい。
【００２９】
上記組立方法において、保持器は、携帯通信装置の筐体であり、筐体にディスプレイを配置するステップをさらに含んでもよい。
【００３０】
本発明の上記特徴および他の特徴は、以下の説明および添付図面を参照して明らかにされる。詳細な説明および図面には、本発明の原理を利用可能な方法を示す本発明の特定の実施形態が詳細に開示されているが、本発明の範囲は、特定の実施形態により限定されるものではない。むしろ、本発明は、特許請求の範囲の表現および思想に由来する、変更された発明、修正された発明および等価の発明を含むものである。
【００３１】
ある実施形態について説明および／または示された特徴は、１以上の他の実施形態および／または他の実施形態の特徴の組合せまたは置換として同一または同様な方法で利用されてもよい。
【００３２】
「〜を備える（ｃｏｍｐｒｉｓｅｓ／ｃｏｍｐｒｉｓｉｎｇ）」という明細書中の表現は、明示された特徴、整数（ｉｎｔｅｇｅｒｓ）、ステップまたは構成の存在を特定するものではあるが、１以上の他の特徴、整数（ｉｎｔｅｇｅｒｓ）、ステップまたは構成の存在または追加を除外するものではない。
【００３３】
以下の図面を参照することで、本発明の多くの観点をより明確に理解することができる。図面中の構成は、必ずしもスケール通りに示されてはおらず、本発明の原理を明確に示すために強調して示されている。本発明の一部を容易に表示および記載するために、図面の対応する部分は、本発明に基づき実際に製作される装置の例では、他の部分よりも大きく示される等、サイズを誇張して示されている場合がある。１つの図面または本発明の実施形態に示される要素および特徴は、１以上の他の図面または実施形態に示される要素および特徴と組合されてもよい。また、図面中では、同一の参照符号は、様々な視点を通じて対応する部分を示している。
【図面の簡単な説明】
【００３４】
【図１】携帯電話等の携帯通信装置を示す概略図である。
【図２】本発明の実施形態に係る、表示システムのディスプレイおよびウインドウのためのダストシーリングテープ装着システムの部分断面図である。本図は、図１の２−２線沿いの断面を示すものであり、図２の比較的右側等に示す表示システムの反対側は、図２に示す断面と概ね対称をなす。
【図３】図２の表示システムのダストシーリングテープ装着システムを示す断面斜視図である。
【図４】本発明の実施形態に係るダストシーリングテープの構成を示す展開斜視図である。
【図５】組立て後のダストシーリングテープを示す斜視図である。
【図６】本発明の実施形態に係るダストシーリングテープを用いてディスプレイおよびウインドウが装着される装着器または保持器を示すとともに、本発明の実施形態に係る表示システムの組立方法を示す展開斜視図である。
【図７】発泡体ガスケットを用いたディスプレイおよびウインドウのための従来の装着システムを示す概略断面図である。
【発明を実施するための形態】
【００３５】
以下の詳細な説明では、本発明の異なる実施形態について示されている場合でも、同一の構成には、同一の符号が付されている。本発明を明確かつ詳細に示すために、図面は、必ずしも同一スケールでない場合があり、いくつかの特徴は、概略的に示されている場合がある。
【００３６】
ここでは、用語「携帯通信装置」は、携帯無線通信機器を含む。携帯通信装置および移動通信装置は、同義語として用いられる場合がある。用語「携帯無線通信機器」は、携帯電話（または電話）、携帯装置、携帯無線端末または携帯端末とも称され、非限定的に、移動電話、ポケットベル、コミュニケータ（電子手帳、スマートフォン、携帯情報端末（ＰＤＡ）等）を含む全ての電子機器を含むものである。本発明は、携帯（または非携帯）通信装置に関して説明されるが、勿論、本発明は、携帯通信装置に限定されず、音声および／またはデータ通信に利用可能な各種の電子機器に用いられてもよい。
【００３７】
本発明は、携帯電話、他の電話、携帯情報端末（ＰＤＡ）、コンピュータ、他の通信装置等に用いられてもよい。本発明は、例えば移動電話である携帯電話を例として簡潔に説明されるが、勿論、本発明は、他の通信装置に用いられてもよい。
【００３８】
同一の構成に同一の符号が付されている図面を詳細に参照すれば、図１には、本発明の実施形態に係る携帯通信装置１０が示されている。
【００３９】
以下では、携帯通信装置が移動電話と称される。しかし、前述したように、「移動電話」の参照は、例えば前述したような様々な他の装置を含んでいる。外観上では、例えば図１に示すように、移動電話は、１種類のデザインまたはスタイルであるが、本発明の特徴は、以下で詳細に説明するように、開閉する容器を有し、または有さない他の種類の移動電話、および現存し、または将来的に出現しうる様々な他の移動電話に用いられてもよい。
【００４０】
移動電話１０は、筐体１１（しばしば容器と称される。）、スピーカ１２、液晶ディスプレイ、発光ダイオードディスプレイ、または他のディスプレイ等を含む表示システム１３、オンオフスイッチ１４、マイクロフォン１５、および複数のキー１６を含む。図示された実施形態では、筐体は、ヒンジ１９により機械的に接続されるディスプレイ筐体１７およびキー筐体１８と称される２つの部分からなる。このような複数の筐体を伴う移動電話は公知である。後述する本発明の特徴は、１つの部分からなる筐体等、他の種類の筐体とともに用いられてもよい。
【００４１】
キー１６は、異なる各機能を有する複数のキーを含んでもよい。例えばキー２０は、ナビゲーションキー、選択キー、または他の種類のキーでもよい。例えば、ナビゲーションキーは、表示システム１３に示されているリストをスクロールするために用いられてもよく、表示システム１３のリストに示されている１以上の項目を選択するために用いられてもよい。キー２１は、例えば、表示システム１３に示されている機能を選択するためのソフトキーまたはソフトスイッチでもよく、例えば、カレンダー、インターネット接続、メッセージング、電話等の特殊機能キーでもよい。キー２１は、電話呼出を開始し、呼出に応答し、または呼出を終了するための１以上のキーを含んでもよい。キー２２は、「１」〜「０」、「＊」、「＃」の記号、および／または他の英数文字および／または他の記号を伴うキーを含む、従来のダイヤルキーパッドまたはダイヤルキーボード２３に用いられるダイヤルキーでもよい。スピーカ１２、表示システム１３、オン／オフスイッチ１４、マイクロフォン１５、ナビゲーションキー２０、ソフトキー２１、およびダイヤルキー２２は、電話呼出の開始、受取、および／または応答、電話呼出の終了、テキストメッセージの送受信、インターネットまたは他のネットワークに接続後の様々な機能の実行、移動電話間の情報発信等のために、移動電話が一般に用いられる通常の方法で用いられて機能してもよい。これらは、利用の一例であり、現存し、または将来的に出現しうる他の利用も存在しうる。
【００４２】
図２および図３には、本発明の実施形態に係る表示システム１３が示されている。表示システム１３は、フロント部３０（しばしばディスプレイ筐体１７の「フロント」と称される（図１も参照））、ディスプレイ３１、保護ウインドウ３２、ダストシール３３（しばしばダストシーリングテープと称される。）を含む。ウインドウ３２は、ディスプレイ３１と空間３４を介して相隔てられてもよい。ウインドウ３２は、ディスプレイへのダメージの回避等、ディスプレイの保護を提供し、かつウインドウを通じてディスプレイの視認を可能にするためにディスプレイ３１を概ね覆っている。ウインドウは、ラベルの配置を容易にするための溝３２ｇを上面に有してもよい。対向または対面する表示面３５とウインドウ３２の表面３６の間の実際の距離Ｄは、異なる各移動電話で異なってもよい。例えば、距離Ｄは、ディスプレイ筐体１７、ディスプレイ３１、およびウインドウ３２の寸法許容誤差の変動に依存してもよい。例えば、比較的薄い移動電話では、ウインドウとディスプレイの間の距離Ｄは、約±０．２ｍｍの許容誤差の変動を伴い約０．３７ｍｍとなる。これは、寸法範囲が最小約０．１７ｍｍ〜０．５７ｍｍとなることを意味する。
【００４３】
表示システム１３の装着システム３７は、相隔てられたディスプレイ３１およびウインドウ３２を支持するように構成された、ディスプレイ筐体１７等の筐体１０を含む。装着システムは、ダストシール３３等により提供され、ディスプレイ３１とウインドウ３２の間の空間３４を密閉し、ウインドウをフロント３０に保持する柔軟な取付け部を含む。図示するように、空間３４は、ダストが侵入しないように隔離されている。
【００４４】
ダストシール３３は、多層構造の柔軟なダストシーリングテープである。ダストシーリングテープ３３は、表示面３５とウインドウ３２の間にダストシールを提供し、空間３４へのダストの侵入を防止する。ダストシール３３は、ウインドウ３２をディスプレイ筐体１７に装着もする。ダストシール３３は、密閉および取付け機能を提供するとともに、空間３４の距離または寸法Ｄに影響を及ぼす許容誤差の変動を吸収し、図示するように、ダストシールは、空間を隔離し、空間へのダスト等の侵入を防止し易くする。
【００４５】
図２および図３に示すように、ディスプレイ筐体１７のフロント３０は、実線で示されており、ダストシール３３を用いてディスプレイ筐体１７にディスプレイ３１およびウインドウ３２を装着する方法を示すことを容易にするために断面で示されている。電気コネクション、回路基板等を収容可能な、ディスプレイ筐体１７の他の部分１７ａは、点線で示されている。
【００４６】
ディスプレイ筐体１７は、ディスプレイ３１およびウインドウ３２のための支持器または保持器である。図示するように、ディスプレイ筐体１７は、ディスプレイ３１およびウインドウ３２を装着可能な装着凹部４０を含む。装着凹部４０は、装着凹部４０の比較的狭いディスプレイ凹部４２と比較的広いウインドウ凹部４３の間の段面４１を含む。ディスプレイ３１は、クリップ等（不図示）によりディスプレイ筐体１７のフロント部３０に固定されてもよい。ダストシール３３は、ウインドウ３２の面３６と段面４１の間に取付けられ、ウインドウをディスプレイ筐体１７に取付ける。ダストシール３３は、ディスプレイ３１にも取付けられ、空間３４に関するダスト密閉機能を提供する。ディスプレイ３１を配置されるディスプレイ凹部４２の領域４４は、必ずしもダストフリー（ｆｒｅｅ  ｏｆ  ｄｕｓｔ）ではない。領域４４と、空間３４を除くディスプレイ凹部４２の他の部分は、電気的な接点、導体、および／または移動電話１０のユーザによりウインドウ３２を通じて視認可能な情報、画像等を提供するようにディスプレイを通常の様式で動作可能にするためにディスプレイ３１に機械的および／または電気的に接続される移動電話の他の部品を含んでもよい。ダストシール３３は、空間３４へのダストの侵入および表示面３５およびウインドウ面３６の汚れを防止し、ユーザにより視認される情報および画像の品質がダストにより低下することを回避または防止することを促進する。
【００４７】
ダストシール３３は、より厚いまたはより薄いディスプレイ３１、より厚いまたはより薄いウインドウ３２等の許容誤差の変動、段面４１の位置に対するディスプレイ凹部４２の深さ等の筐体寸法の変動を吸収するために柔軟性を有する。図２および図3に示すように、ダストシールには、例えば、ウインドウ３２と段面４１の間に直接取付けられる部分４６と、ディスプレイ３１に取付けられる部分４７の間に屈曲部４５が存在する。ディスプレイ３１が図示するよりも低ければ、屈曲部４５は、ダストシール３３がディスプレイ凹部４２内に伸びてディスプレイ３１に取付けられるように図２および図３に示すよりも急な角度、かつ長くてもよい。同様に、ディスプレイ凹部４２の底部上のディスプレイ３１が図示するよりも高ければ、屈曲部４５は、図２および図３に示すよりも緩い角度でもよい。
【００４８】
ダストシール３３は、異なる種類のディスプレイ３１に適応する。例えば、図２および図３に示すディスプレイ３１は、従来のデザインまたは新規なデザインの液晶ディスプレイ３１ｄでもよく、液晶ディスプレイ３１ｄは、フレーム３１ｆ内に保持されてもよい。説明の便宜上、フレーム３１ｆおよび液晶ディスプレイ３１ｄは、集合的にディスプレイ３１と称される。勿論、ダストシール３３は、フレーム、液晶ディスプレイ、または双方に取付けられてもよい。公知のように、液晶ディスプレイ３１ｄの表示面３５を手で押すと、ディスプレイが損傷する場合がある。表示面３５への接触も、引っかき、油脂や指紋の付着等、表示面が損傷する場合がある。ウインドウ３２は、液晶ディスプレイ３１ｄの押圧、接触、引っかき等を防止する。ディスプレイ３１は、液晶ディスプレイ以外でもよく、勿論、表示面３５とウインドウ３２の面３６の間の空間３４の高さ寸法Ｄは、異なる高さのディスプレイ、異なる深さのディスプレイ凹部４２等で異なってもよい。ダストシール３３の柔軟性は、表示システム１３の様々な部分の異なる寸法および許容誤差を容易に吸収し、空間３４からダストを遮断し、筐体１７へのウインドウ３２の取付けを維持する。
【００４９】
図示の実施形態では、移動電話１０が２つの部分からなり、移動電話の利用のためにキーボード筐体１８に対してディスプレイ筐体１７がヒンジ１９を介して回転可能であるので、ディスプレイ３１およびウインドウ３２が装着される筐体１１は、ディスプレイ筐体１７と称される。しかし、勿論、単一の筐体のみを有し、ディスプレイ筐体がキーボード筐体に対して開かなくてもよい移動電話では、ディスプレイ３１およびウインドウ３２は、単一の筐体内に装着および取付けられてもよい。
【００５０】
図４および図５には、ダストシーリングテープであるダストシール３３が示されている。ダストシール３１は、３つの層５０、５１、５２を有し、各層は、図５では開口領域５３として集合的に示す開口領域５３ａ、５３ｂ、５３ｃを有する環状リングからなる。環状リング５０〜５２の外形寸法は、同一であり、装着凹部４０（図２および図３）とサイズおよび形状が同一または略同一となるように調整されており、図２および図３に示す方法で段面４１により支持されて装着凹部に適合する。図示するように、環状リング５０〜５２は、概ね平坦である。層５１、５２の開口領域５３ｂ、５３ｃのサイズおよび形状は、層５１、５２の側部の幅寸法Ｗ１〜Ｗ４が同一である等、同一である。層５０を形成する側部の幅寸法Ｗ１´〜Ｗ４´は、層５１、５２の側部の幅寸法Ｗ１〜Ｗ４よりも小さく、よって、層５０の開口領域５３ａは、層５１、５２の開口領域５３ｂ、５３ｃよりも各々に大きい。
【００５１】
層５０は、接着物質が上面および下面の双方にある中央の基部または支持部を有する第１の両面接着層である。図４に関連して、勿論、上部および下部等の方向は、説明の便宜上用いられるものであり、必ずしも本発明を限定するものではない。層５２は、第２の両面接着層であり、層５０と同一の物質でもよく、異なる物質でもよく、図４に関連して、上面および下面の双方に中央支持部および接着物質を有する。層５１は、プラスチック薄片等の比較的薄い薄片状物質でもよい。層５１は、他の物質でもよい。層５１の物質例は、ポリマー物質、非導電性物質、ポリエチレンテレフタレート、または他の物質を含んでもよい。層５１は、接着物質を有していないが、両面接着層５０、５２の接着物質により層５０、５２に取付けられる。よって、層５１は、両面接着層５０、５２の間に中間層または接合部を提供する。
【００５２】
各層５０〜５２を形成する物質は、前述したように、屈曲部４５（図２および図３）を形成可能であるとともに、空間３４へのダストの進入を防止する確実な密閉性を提供するために適当な柔軟性を有する。層５０〜５２を形成する物質は、例えば、図２および図３に示した方法で用いられるように、空間３４へのダストの進入を防止する適当な構造（ｉｎｔｅｇｒｉｔｙ）も有する。
【００５３】
ダストシール３３のダストシーリングテープの環状リング層５０〜５２の組立てに際して、３つの層は、サンドイッチ状等に重ねて配置されて一緒に押圧される。層５０の下部の接着物質は、層５１の上面に確実に接着し、層５２の上部の接着物質は、層５１の下部に確実に接着する。側部の幅を含む薄片層５１のサイズおよび形状が第２の両面接着層５２と同一であるので、層５１は、第２の両面接着層５２の上面の接着物質を完全にまたは少なくとも実質的に完全に覆い、図２および図３に示す方法で利用した場合に、ウインドウ３２の面３６に対して接着物質の露出を防止し易くなる。第１の両面接着層５０は、薄片層５１の上面の放射方向外側部５１ａのみを覆う。薄片５１の上面の放射方向内側部５１ｂは、層５０により覆われず、よって図５に示すように露出する。よって、ダストシール３３の放射方向内側部では、接着物質が存在せず、屈曲部４５（図２および図３）を形成可能であり、領域の上方でダストシールがディスプレイ３１に取付けられる。よって、ダストシール３３は、屈曲部の領域およびダストシールがディスプレイに取付けられる領域で、ウインドウ３２の面３６に接着し難くなる。この特徴は、例えば図２および図３に示す方法で、ディスプレイおよびウインドウへの確実な取付けなしに、ディスプレイ３１およびウインドウ３２に対してダストシール３３が不適切に組立てられる可能性を抑制し易くなる。
【００５４】
図６は、本発明の実施形態に係る表示システム１３の組立て例を示す。表示システムは、筐体１７のフロントから組立てられてもよく、例えば、筐体のフロントは、ディスプレイ３１が視認される側でもよい。これにより、例えば、ディスプレイ３１をフロント部３０に配置および／装着するための開口の必要性がなくなるので、筐体１７のフロント部３０の背部３０ｂ（図２および図３）は、筐体の他部１７ａ（図２および図３）の内側に面する中実または実質的に中実な壁となる。中実または実質的に中実な壁は、ディスプレイを装着または配置するための比較的大きな開口を伴う壁に比して、筐体１７の強度、剛性、および耐久性を向上させうるので、移動電話の強度、剛性、および耐久性を向上させうる。さらに、強度、剛性、および耐久性の向上は、従来よりも薄い移動電話を製作することとともに、より薄い移動電話の強度、剛性、および耐久性を確保することを容易にする。ディスプレイ３１は、筐体１７のフロント部３０の前側から、装着凹部４０のディスプレイ凹部４２に配置される。ダストシール３３を形成するダストシーリングテープは、ウインドウ凹部４３の段面４１に対して配置される。第２の両面接着層５２の下面の接着物質は、例えば、薄片層５１の露出面５１ｂをディスプレイに向けて押圧し、第２の両面接着層５２の下部の接着物質をディスプレイに接着させるように、ディスプレイ３１に対して押圧される。ウインドウ３２は、ダストシール３３のダストシーリングテープ３３に対して配置され、第１の両面接着層５０の上面の接着物質に取付けられてもよい。ウインドウは、段面４１に向けて押され、第１の両面接着層５０の上部の接着物質がウインドウに接着され、第２の両面接着層５２の下面の接着物質が段面４１に接着されうる。よって、ダストシール３３は、ディスプレイ３１およびウインドウ３２の双方および筐体１７に取付けられ、またはディスプレイ３１およびウインドウ３２のために提供されうる他の支持構造に取付けられる。ダストシール３３を提供するダストシーリングテープは、ディスプレイとウインドウの間の空間３４へのダストの侵入を防止し、空間３４にダストフリーな環境を提供し易くなる。
【００５５】
移動電話１０のテストおよび利用に際して、ダストシール３３は、ディスプレイ、ウインドウ３２およびディスプレイ筐体１７への取付けを維持する。筐体、ディスプレイ、および／またはウインドウの物理的なサイズ変更または変形に際して、ダストシール３３は、適切に柔軟に対応し、ある程度の寸法変更を許容し、前述したように取付けおよびダスト密閉機能を維持する。さらに、ダストシール３３は、表示システム１３の寸法許容誤差が比較的大きな範囲で変動しても、取付けおよびダスト密閉機能を維持し、空間３４は、寸法許容誤差の変動を適切に提供する。
【００５６】
勿論、移動電話１０は、例えば従来の方法で用いられてもよい。空間３４からダストを遮断するダストシーリングテープ３３を伴う表示システム１３のディスプレイ３１は、ウインドウ３２を通じて視認されるディスプレイ３１上の情報の視認性を良好に提供する。電気回路、アンテナ、電源供給、プログラム等、移動電話１０の様々な他の部分は、当業者に自明なように、移動電話分野の従来技術と同様に、移動電話に提供されうる。
【００５７】
図７には、移動電話７２の表示システム７１のための装着システム７０が簡単に示されている。表示システム７２は、液晶ディスプレイ等のディスプレイ７３、および移動電話筐体７６の装着凹部７５に配置される保護ウインドウ７４を含む。ディスプレイ７３およびウインドウ７４は、ポリウレタンフォーム物質からなる発泡体ガスケットにより相隔てられている。発泡体ガスケット７７は、空間７８からダストを遮断するものである。両面接着テープ等の両面接着物質７９は、ウインドウ７４を装着凹部７５を囲む装着段８０に接着する。従来の装着システム７０では、様々な問題が生じる場合がある。表示システム７１の組立てに際して、ウインドウが両面接着物質７９に対して押圧され発泡体ガスケット７７がディスプレイ７３とウインドウ７４の間で圧縮されることで、空間７８のためにダストシールが提供される。よって、発泡体ガスケット７７は、ウインドウに対して圧力Ｐを加え、ディスプレイ、両面接着物質７９、および装着段８０からウインドウを遠ざける。移動電話７２が比較的高温多湿な環境でテストされると、接着物質７９は、ウインドウ７４および装着段８０の双方に対する接着力等を解放し易くなり、圧縮された発泡体ガスケット７７により生じた圧力に抵抗できず、ウインドウ７４を適所に保持できなくなるまで脆弱化し、ウインドウを落下させてしまう場合がある。ウインドウ７４とディスプレイ７３の面の間の距離Ｄを小さくすべき比較的薄い移動電話では、他の問題が生じる場合がある。例えば、比較的薄い移動電話では、ウインドウとディスプレイの間の距離Ｄは、約±０．２ｍｍの許容誤差の変動を伴い約０．３７ｍｍとなる場合がある。これは、寸法範囲が最小約０．１７ｍｍ〜約０．５７ｍｍとなることを意味する。発泡体ガスケットを約０．１７ｍｍまで圧縮する場合、ウインドウとディスプレイの間の厚さは、ウインドウ７４に対する圧力をさらに増加させ、ウインドウおよび装着段への接着物質の接着、および／または接着物質の付着が非常に弱い場合には、ウインドウを落下させてしまう。
【００５８】
以上、本発明の特定の実施形態が開示された。当業者であれば、他の環境では本発明が他の適用を有することを容易に理解するであろう。実際、多くの実施形態および実施例が可能である。以下の特許請求の範囲の記載は、前述した特定の実施形態に本発明の範囲を限定することを意図するものではない。また、「〜するための手段（ｍｅａｎｓ  ｆｏｒ）」という表現の構成は、ミーンズ＋ファンクションに基づく構成を意味するものであり、「〜するための手段（ｍｅａｎｓ  ｆｏｒ）」という表現のない構成は、「手段（ｍｅａｎｓ）」という表現を含む場合でもミーンズ＋ファンクションに基づく構成を意味するものではない。
【００５９】
本発明は、特定の実施形態に基づき説明されたが、明細書および添付図面に基づき当業者が等価な代替や変形を行うことは自明である。特に、前述した要素（構成部品、組立品、装置、合成物等）により実行される様々な機能について、上記要素の説明に用いられる表現（「手段（ｍｅａｎｓ）」という記載も含む。）は、特に断りのない限り、本発明の実施形態中の機能を実行する開示された構造と構造的に等価でない場合でも記載された要素の特定の機能を実行するいかなる要素（つまり、機能的に等価な要素）をも意味する。さらに、本発明の特定の特徴は、１以上の実施形態について説明されたが、上記特徴は、所定または特定の適用に所望されて有利となる、他の実施形態の１以上の特徴と組合されてもよい。
【図１】
2010537240.tif 000003
【図２】
2010537240.tif 000004
【図３】
2010537240.tif 000005
【図４】
2010537240.tif 000006
【図５】
2010537240.tif 000007
【図６】
2010537240.tif 000008
【図７】
2010537240.tif 000009
【国際調査報告】
2010537240.tif 000010
2010537240.tif 000011
2010537240.tif 000012